(57)【要約】【課題】スリット状開口を「く」字状に折り曲げられている状態にして、異なる方向に延在するスリット状開口を連結した横電界方式の液晶表示パネルにおいて、連結部での液晶分子の配向方向が異なるドメインの行き来を少なくしてリップル不良を低減すること。【解決手段】液晶層を挟持して対向配置された一対の基板を有し、前記一対の基板の一方には複数のスリット状開口１３０ａを有する上電極１３０と、前記上電極１３０と絶縁層を介して前記基板側に形成された下電極１２８と、前記液晶層側に形成された配向膜と、を備えた液晶示パネル１において、前記スリット状開口は「く」字状に折り曲げられていると共に、前記「く」字状に折り曲げられている角部にはスリット状開口の幅が狭くなっている部分が形成されていることを特徴とする。【選択図】図１
2010002448.tif 000002
【特許請求の範囲】
【請求項１】
液晶層を挟持して対向配置された一対の基板を有し、前記一対の基板の一方には複数の
スリット状開口を有する上電極と、前記上電極と絶縁層を介して前記基板側に形成された
下電極と、前記液晶層側に形成された配向膜と、を備えた液晶示パネルにおいて、
前記スリット状開口は「く」字状に折り曲げられていると共に、前記「く」字状に折り
曲げられている角部にはスリット状開口の幅が狭くなっている部分が形成されていること
を特徴とする液晶表示パネル。
【請求項２】
前記スリット状開口の幅が狭くなっている部分は、前記スリット状開口の「く」字状に
折り曲げられている角部の内角側の辺を楔状に外角側に屈曲させることにより形成された
ものであることを特徴とする請求項１に記載の液晶表示パネル。
【請求項３】
前記スリット状開口の幅が狭くなっている部分は、前記スリット状開口の「く」字状に
折り曲げられている角部の外角側の辺を楔状に内角側に屈曲させることにより形成された
ものであることを特徴とする請求項１に記載の液晶表示パネル。
【請求項４】
前記スリット状開口の幅が狭くなっている部分は、前記スリット状開口の「く」字状に
折り曲げられている角部のスリット状開口の幅を連続的に小さくなるように内角側及び外
角側の辺を共に外角側に屈曲させることにより形成されたものであることを特徴とする請
求項１に記載の液晶パネル。
【請求項５】
前記スリット状開口の幅が狭くなっている部分は、前記スリット状開口の同一幅の部分
を一旦外角側に折り曲げた状態に形成すると共に、更に前記スリット状開口の「く」字状
に折り曲げられている角部の内角側の辺を楔状に外角側に屈曲させることにより形成され
たものであることを特徴とする請求項１に記載の液晶表示パネル。
【発明の詳細な説明】
【技術分野】
【０００１】
本発明は横電界方式の液晶表示パネルに関するものである。詳しくは、本発明は、一方
の電極に「く」字状に折り曲げられているスリット状の開口を有する横電界方式の液晶表
示パネルに関するものである。
【背景技術】
【０００２】
液晶表示パネルはＣＲＴ（陰極線管）と比較して軽量、薄型、低消費電力という特徴が
あるため、表示用として多くの電子機器に使用されている。液晶表示パネルは、配向膜に
対してラビング処理することにより所定方向に整列した液晶分子の向きを電界により変え
て、光の透過量ないし反射量を変化させて画像を表示させるものである。
【０００３】
液晶表示パネルの液晶層に電界を印加する方法として、縦電界方式のものと横電界方式
のものとがある。縦電界方式の液晶表示パネルは、液晶層を挟んで配置される一対の電極
により、概ね縦方向の電界を液晶分子に印加するものである。この縦電界方式の液晶表示
パネルとしては、ＴＮ（Twisted Nematic）モード、ＶＡ（Vertical Alignment）モード
、ＭＶＡ（Multi-domain Vertical Alignment）モード等のものが知られている。横電界
方式の液晶表示パネルは、液晶層を挟んで配設される一対の基板のうちの一方の内面側に
一対の電極を互いに絶縁して設け、概ね横方向の電界を液晶分子に対して印加するもので
ある。この横電界方式の液晶表示パネルとしては、一対の電極が平面視で重ならないＩＰ
Ｓ（In-Plane Switching）方式のものと、重なるＦＦＳ（Fringe Field Switching）方式
のものとが知られている。
【０００４】
このうち、ＦＦＳモードの液晶表示パネルは、絶縁膜を介して上電極と下電極とからな
る一対の電極をそれぞれ異なる層に配置し、上電極にスリット状の開口を設け、このスリ
ット状開口を通る概ね横方向の電界を液晶層に印加するものである。このＦＦＳモードの
液晶表示パネルは、広い視野角を得ることができると共に画像コントラストを改善できる
という効果があるので、近年、多く用いられるようになってきている。
【０００５】
ところで、カラー表示用の液晶表示パネルにおいては、通常、Ｒ（赤色）・Ｇ（緑色）
・Ｂ（青色）の３つのサブ画素が横並びに形成され、これらの３つのサブ画素の組み合わ
せで１画素（１ピクセル）が設定される。通常、１画素は略正方形であるため、１サブ画
素は縦長の長方形となる。そこで、ＦＦＳモードの液晶表示パネルにおいては、上電極に
形成されているスリット状開口の両端では所望する方向の電界を形成することができない
ため、特許文献１及び２に示されているように、スリット状開口の延在方向を縦方向にし
て開口率の低下を低減している。
【０００６】
また、ＦＦＳモードの液晶表示パネルでは、スリット状開口はラビング方向に対して僅
かに傾斜するように延在させて、同一方向に液晶分子が回転することができるようにして
いる。そして、カラー表示用の液晶表示パネルにおいては、このスリット状開口の傾斜角
度を正負の２つの領域に分けるマルチドメイン化により、視野角による色の変化を低減す
ることができる。しかしながら、スリット状開口の両端は所望する方向の電界を形成する
ことができないので、延在方向が異なるスリット状開口を分離させると開口率が低くなる
。そこで、下記特許文献１に開示されている液晶表示パネルでは、スリット状開口をジグ
ザグ状にし、異なる方向に延在するスリット状開口を連結することによって開口率が広い
マルチドメイン化を達成している。
【特許文献１】特開２００２−０１４３７４号公報
【発明の開示】
【発明が解決しようとする課題】
【０００７】
延在方向が異なる２つのスリット状開口を形成すると、それぞれのスリット状開口の側
において液晶分子の配向方向が異なる領域（ドメイン）が形成されるため、広視野角特性
が得られるという利点がある。しかしながら、延在方向が異なる２つのスリット状開口を
連結すると、それぞれの配向方向が異なるドメインが互いに行き来するため、リップル不
良が発生するという問題が生じる。
【０００８】
本発明は上記問題点に鑑みてなされたものであって、本発明の目的は、それぞれ異なる
方向に延在するスリット状開口を「く」字状に折り曲げて連結した横電界方式の液晶表示
パネルにおいて、連結部での液晶分子の配向方向が異なるドメインの行き来を少なくして
リップル不良を低減した液晶表示パネルを提供することである。
【課題を解決するための手段】
【０００９】
上記目的を達成するために、本発明の液晶表示パネルは、液晶層を挟持して対向配置さ
れた一対の基板を有し、前記一対の基板の一方には複数のスリット状開口を有する上電極
と、前記上電極と絶縁層を介して前記基板側に形成された下電極と、前記液晶層側に形成
された配向膜と、を備えた液晶示パネルにおいて、前記スリット状開口は「く」字状に折
り曲げられていると共に、前記「く」字状に折り曲げられている角部にはスリット状開口
の幅が狭くなっている部分が形成されていることを特徴とする。
【００１０】
本発明の晶表示パネルによれば、「く」字状に折り曲げられている角部のスリット状開
口の幅が狭くなっているので、この角部でラビング方向とスリット状開口の辺とのなす角
が変化するため、この角部の両側の液晶分子の配向方向が異なるドメインが互いに行き来
し難くなり、リップル不良を低減することができる。
【００１１】
また、本発明の液晶表示パネルにおいては、前記スリット状開口の幅が狭くなっている
部分は、前記スリット状開口の「く」字状に折り曲げられている角部の内角側の辺を楔状
に外角側に屈曲させることにより形成されたものであることが好ましい。
【００１２】
係る態様の液晶表示パネルによれば、「く」字状に折り曲げられている角部の内角側に
おいて、ラビング方向とスリット状開口の辺とのなす角が他の部分よりも大きくなり、平
面視での電界の方向の変化が大きくなるため、この角部の両側の液晶分子の配向方向が異
なるドメインが互いに行き来し難くなる。また、この角部の内角側において、ラビング方
向と電界の方向とがなす角度が小さくなって液晶分子に対して大きな回転力が得られるた
め、液晶表示パネルの表面が一時的に押圧されて液晶分子の回転角が変化することにより
リップルが生じても、元の状態に戻り易くなる。
【００１３】
また、本発明の液晶表示パネルにおいては、前記スリット状開口の幅が狭くなっている
部分は、前記スリット状開口の「く」字状に折り曲げられている角部の外角側の辺を楔状
に内角側に屈曲させることにより形成されたものであることが好ましい。
【００１４】
係る態様の液晶表示パネルによれば、外角側の辺を楔状に内角側に屈曲ことによっても
電界の方向を変化させることができ、上記発明の場合と同様に、液晶分子の配向方向が異
なるドメインが互いに行き来し難くなる。
【００１５】
また、本発明の液晶表示パネルにおいては、前記スリット状開口の幅が狭くなっている
部分は、前記スリット状開口の「く」字状に折り曲げられている角部のスリット状開口の
幅を連続的に小さくなるように内角側及び外角側の辺を共に外角側に屈曲させることによ
り形成されたものであることが好ましい。
【００１６】
係る態様の液晶表示パネルによれば、「く」字状に折り曲げられている角部の両側でラ
ビング方向と電界の方向とがなす角度が小さくなるので液晶分子に対して大きな回転力を
与えることができ、液晶表示パネルが一時的に押圧されて液晶分子の回転角が変化したと
き、より元の回転角に戻り易くなる。また、「く」字状に折り曲げられている角部の内角
側の辺及び外角側の辺ともにラビング方向に対する角度が相違しているので、ＶＴ（電圧
−透過率）特性の異なる領域が増加するため、視野角による色の差を低減することができ
る。
【００１７】
また、本発明の液晶表示パネルにおいては、前記スリット状開口の幅が狭くなっている
部分は、前記スリット状開口の同一幅の部分を一旦外角側に折り曲げた状態に形成すると
共に、更に前記スリット状開口の「く」字状に折り曲げられている角部の内角側の辺を楔
状に外角側に屈曲させることにより形成されたものであることが好ましい。
【００１８】
係る態様の液晶表示パネルによれば、「く」字状に折り曲げられている角部の両側でラ
ビング方向と電界の方向とがなす角度が小さくなるので液晶分子に対して大きな回転力を
与えることができるようになる。そのため、液晶表示パネルが一時的に押圧されて液晶分
子の回転角が変化したとき、より元の回転角に戻り易くなる。加えて、スリット状開口の
辺とラビング方向に対する角度が相違する部分は、「く」字状に折り曲げられている角部
の内角側の辺及び外角側の辺だけでなく、スリットの同一幅の部分を一旦折り曲げた部分
においても生じるので、よりＶＴ特性の異なる領域が増加することになり、視野角による
色の差をより低減することができる。
【発明を実施するための最良の形態】
【００１９】
以下、図面を参照して本発明の最良の実施形態を説明する。但し、以下に示す実施形態
は、本発明の技術思想を具体化するための液晶表示パネルを例示したものであって、本発
明をこの液晶表示パネルに特定することを意図するものではなく、特許請求の範囲に含ま
れるその他の実施形態にも等しく適応し得るものである。更に、この明細書における説明
のために用いられた各図面においては、各層や各部材を図面上で認識可能な程度の大きさ
とするため、各層や各部材毎に縮尺を異ならせて表示しており、必ずしも実際の寸法に比
例して表示されているものではない。
【００２０】
図１は第１の実施形態に係る液晶表示パネルのスリット状開口を示す１サブ画素分の正
面図である。図２は図１のII−II線に沿った断面図である。図３は図１のIII−III線に沿
った断面図である。図４は第１の態様における液晶分子の回転状態を示す図である。図５
は第１の実施形態の変形例の折り曲げ部の拡大図である。図６は第２の実施形態に係る液
晶表示パネルのスリット状開口を示す１サブ画素分の正面図である。図７は図６のVII−V
II線に沿った断面図である。図８は図６のVIII−VIII線に沿った断面図である。図９は第
３の実施形態に係る液晶表示パネルのスリット状開口を示す１サブ画素分の正面図である
。図１０は第３の態様における液晶分子の回転状態を示す図である。図１１は第４の実施
形態に係る液晶表示パネルのスリット状開口を示す１サブ画素分の正面図である。図１２
は第４の態様における液晶分子の回転状態を示す図である。
【００２１】
［第１の実施形態］
第１の実施形態に係る液晶表示パネル１を図１〜図４を用いて説明する。この液晶表示
パネル１は、図２、図３に示すように、液晶層１１をアレイ基板１２とカラーフィルタ基
板１４で挟持している。液晶層１１の厚みはスペーサ１１１によって均一にされる。アレ
イ基板１２の背面には第１偏光板１５が形成され、カラーフィルタ基板１４の前面には第
２偏光板１６が形成されている。また、アレイ基板１２の背面側に光を照射するバックラ
イト１７が配設されている。
【００２２】
まず、アレイ基板１２の構成について説明する。アレイ基板１２は、ガラスや石英、プ
ラスチック等からなる基板本体１２１を基体としている。そして、アレイ基板１２の基板
本体１２１の液晶層１１側に、走査線１２２が形成されており、走査線１２２を覆ってゲ
ート絶縁膜１２３が形成されている。ゲート絶縁膜１２３上に、例えばアモルファスシリ
コンからなる半導体層１２４ａが形成されており、半導体層１２４ａに一部乗り上げるよ
うにしてソース電極１２４ｂと、ドレイン電極１２５ｃとが形成されている。これらの半
導体層１２４ａ、ソース電極１２４ｂ、及びドレイン電極１２４ｃでＴＦＴ１２４を構成
する。半導体層１２４ａは、ゲート絶縁膜１２３を介して走査線１２２と対向配置されて
おり、前記対向領域で走査線１２２がＴＦＴ１２４のゲート電極１２２ａを構成するよう
になっている。ソース電極１２４ｂは信号線１２５から分岐しており、信号線１２５は図
１のＹ軸方向に延在し、走査線１２２はＸ軸方向に延在している。
【００２３】
半導体層１２４ａ、ソース電極１２４ｂ、ドレイン電極１２４ｃを覆って、酸化ケイ素
ないし窒化ケイ素等からなる第１層間絶縁膜１２６が形成され、その第１層間絶縁膜１２
６を覆って、樹脂層１２７が形成される。樹脂層１２７を覆って、ＩＴＯ（Indium Tin O
xide）、ＩＺＯ（Indium Zinc Oxide）等の透明導電材料からなる下電極１２８が形成さ
れている。下電極１２８を覆って低温生成された酸化ケイ素ないし窒化ケイ素等からなる
第２層間絶縁膜１２９が形成されており、更に、第２層間絶縁膜１２９の液晶層側の表面
にＩＴＯ、ＩＺＯ等の透明導電材料からなる上電極１３０が形成されている。また、上電
極１３０、第２層間絶縁膜１２９を覆ってポリイミドからなる第１配向膜１３１が形成さ
れている。この第１配向膜１３１には所定の方向にラビング処理が施されている。
【００２４】
第１層間絶縁膜１２６及び第２層間絶縁膜１２９を貫通してドレイン電極１２４ｃに達
するコンタクトホールＣＨが形成されており、このコンタクトホールＣＨを介して上電極
１３０とドレイン電極１２４ｃとが電気的に接続されている。そのため、第１の実施形態
の液晶表示パネル１では、上電極１３０は画素電極として作動する。上電極１３０は、図
１で概略Ｙ軸方向に延びる複数本のスリット状開口１３０ａによって形成された帯状電極
１３０ｂを備えている。スリット状開口１３０ａは上電極１３０を、フォトリソグラフィ
ー法によって、露光、エッチングすることによって形成される。下電極１２８と上電極１
３０との間に挟持される第２層間絶縁膜１２９が誘電体膜となり、下電極１２８と上電極
１３０との間に蓄電容量が形成される。なお、ＦＦＳモードの液晶表示パネルにおいては
、輝度やコントラストなどの向上のために、スリット状開口を設ける上電極１３０を画素
電極にしたり、対向電極にしたりすることがあるが、本発明はそのいずれにも適用するこ
とができる。
【００２５】
次にカラーフィルタ基板１４について説明する。カラーフィルタ基板１４は、ガラスや
石英、プラスチック等からなる基板本体１４１を基体としており、基板本体１４１には、
サブ画素毎に異なる色光（例えば、Ｒ、Ｇ、Ｂ、無色等）を透過するＣＦ（カラーフィル
タ）層１４２と遮光材のＢＭ（ブラックマトリクス）層１４３が形成されている。ＣＦ層
１４２とＢＭ層１４３を覆うようにして保護樹脂層１４４が形成され、保護樹脂層１４４
を覆うようにしてポリイミドからなる第２配向膜１４５が形成されている。第２配向膜１
４５には第１配向膜１３１と逆方向のラビングが施されている。
【００２６】
アレイ基板１２側の偏光板１５の透過軸と、カラーフィルタ基板１４側の偏光板１６の
透過軸とは互いに直交するように配置されており、前記偏光板１６の透過軸が図１のＹ軸
と平行に配置されている。また、第１配向膜１３１のラビング方向は偏光板１６の透過軸
と平行である。第１配向膜１３１のラビング方向は、上電極１３０と下電極１２８との間
に生じる電界の主方向と交差する方向とする。そして、初期状態ではラビング方向に沿っ
て平行配向している液晶分子が、上電極１３０と下電極１２８との間への電圧印加によっ
て、上記電界の主方向側へ回転して配向する。この初期配向状態と電圧印加時の配向状態
との差異に基づいて各サブ画素の明暗表示が行われる。このようにして、各サブ画素の駆
動表示が行われる。なお、図示省略するが、液晶層１１はアレイ基板１２とカラーフィル
タ基板１４の間に設けられたシール材で形成される密封エリア内に封止される。
【００２７】
次に、上電極１３０のスリット状開口１３０ａについて詳述する。電界は上電極１３０
とスリット状開口１３０ａに位置する下電極１２８の電位差によって生じる。電界はアレ
イ基板１２の面に概略平行に生じ、平面視での電界の向きはスリット状開口１３０ａの辺
の法線方向となる。スリット状開口１３０ａの両端の電界方向はスリット状開口１３０ａ
の長辺の電界方向と向きが異なる。このためにリバースツイストドメインが発生して開口
率を低下させる。また、スリット状開口１３０ａを閉結するための領域を必要とするため
にスリット状開口１３０ａの両端近傍は開口率が低下する。サブ画素は縦長であるために
、スリット状開口１３０ａを横方向に延在させるとスリット状開口１３０ａの両端の数が
多くなって開口率が低下する。そこで、図１に示すように、第１の実施形態の液晶表示パ
ネル１では、スリット状開口１３０ａの延在方向を縦にすることによりスリット状開口１
３０ａの端部の数を少なくすることにより、開口率が低くならないようにする。
【００２８】
ラビングの方向に対してスリット状開口１３０ａの延在方向を所定角度α（例えば約５
度〜約１５度）傾ける。これにより、液晶分子が同じ方向に回転することができるように
なる。全てのスリット状開口１３０ａを時計方向あるいは反時計方向にすると、液晶分子
が一方向にねじれるために視角方向によって色が変化する現象が現れる。これは、液晶分
子を見る方向によって見かけのリタデ−ションが変化するためである。これを低減するた
めに、第１の実施形態の液晶表示パネル１では、スリット状開口１３０ａの延在方向が時
計方向に対して＋α傾くドメインと−α傾くドメインを設ける。即ち、マルチドメイン化
である。なお、第１の実施形態の液晶表示パネル１における配向方向が異なるドメイン数
は２つであるが、更に配向方向が異なるドメインを多くしてもよい。
【００２９】
延在方向が異なる２つのスリット状開口１３０ａのスリット状開口１３０ａを分離させ
ると、スリット状開口１３０ａの端部が増加するため、開口率が減少する。そこで、本発
明では延在方向が異なるスリット状開口１３０ａを連結してスリット状開口１３０ａを「
く」字状に折り曲げた状態とする。このように延在方向が異なるスリット状開口１３０ａ
を連結すると、延在方向が異なるスリット状開口１３０ａを分離した場合に比べて開口率
を大きくすることができる。第１の実施形態に係る液晶表示パネル１においては、図１に
示すように、ラビング方向をスリット状開口１３０ａを「く」字状に折り曲げた角部の内
角θ１を頂点とする二等辺三角形ＡＢＣの底辺ＢＣの方向にする。従って、ラビング方向
に対するスリット状開口１３０ａの傾斜角は一方を＋α（時計方向を＋とする。）とすれ
ば、他方は−αとなり、その絶対値は同じとなる。ところで、このように延在方向が異な
るスリット状開口１３０ａを連結して「く」字状に折り曲げられた状態とすると、この「
く」字状に折り曲げられている角部では配向方向が異なるドメインが互いに行き来するた
めにリップル不良が発生する。
【００３０】
そこで、第１の実施形態に係る液晶表示パネル１では、図１に示すように、「く」字状
に折り曲げられた角部の内角側の辺を楔状に外角側に屈曲させることにより、この角部の
スリット状開口の幅を狭くしている。このようにスリット状開口１３０ａの「く」字状に
折り曲げられた角部の幅が変わることにより、ラビング方向とスリット状開口１３０ａの
法線とのなす角が変化するので、配向方向が異なるドメインが互いに行き来し難くなり、
リップル不良を低減することができる。
【００３１】
図１に示すように、第１の実施形態の液晶表示パネル１では、内角側の辺を楔状に外角
側に屈曲して、「く」字状に折り曲げられた角部の角度θ２をθ１よりも小さくすること
により、この角部のスリット状開口１３０ａの幅を狭くしている。図４に示すように、第
１の実施形態の液晶表示パネル１における「く」字状に折り曲げられた角部では、平面視
での電界の方向の変化があるために、配向方向が異なるドメインが互いに行き来し難くな
る。また、「く」字状に折り曲げられた角部の内角側において、ラビング方向と電界の方
向とがなす角度が小さくなるので液晶分子に大きな回転力が与えられることとなり、液晶
表示パネル１が一時的に押圧されて液晶分子の回転角が変化したとき、元の状態に戻り易
くなる。
【００３２】
なお、上述の第１の実施形態の液晶表示パネル１では、「く」字状に折り曲げられた角
部の内角側の辺を楔状に外角側に屈曲させて「く」字状に折り曲げられた角部のスリット
状開口の幅を狭くした例を示したが、変形例である図５に示すように、「く」字状に折り
曲げられた角部の外角側の辺を楔状に内角側に屈曲させても「く」字状に折り曲げられた
角部のスリット状開口の幅を狭くすることができる。この場合でも「く」字状に折り曲げ
られた角部の電界の方向が変化するために、液晶分子の配向方向が異なるドメインが行き
来し難くなる。
【００３３】
［第２の実施形態］
第２の実施形態の液晶表示パネル２を図６〜図８を用いて説明する。第２の実施形態の
液晶表示パネル２が第１の実施形態の液晶表示パネル１と構成が相違する点は、図６に示
したように、
（１）上電極１３０に形成される「く」字状のスリット状開口１３０ａがサブ画素の縦方
向（Ｙ軸方向）に対して所定角度傾けて形成されている点、
（２）それぞれのスリット状開口１３０ａの幾何学的配置からして、一部のスリット状開
口１３０ａは、「く」字状に折り曲げられた角部を有せず、直線状に形成されている点、
（３）ラビング方向がサブ画素の長辺方向に対して所定角度傾斜している点、
（４）上電極１３０が対向電極として作動し、下電極１２８が画素電極として作動する点
、
である。なお、以下においては、第２の実施形態の液晶表示パネル２において、第１の実
施形態の液晶表示パネル１と同一の構成部分には同一の参照符号を付与して説明する。
【００３４】
第２の実施形態に係る液晶表示パネル２は、図７、図８に示すように、第１の実施形態
の液晶表示パネル１の場合と同様に、液晶層１１をアレイ基板１２とカラーフィルタ基板
１４で挟持している。液晶層１１の厚みはスペーサ１１１によって保持されている。アレ
イ基板１２の背面には第１偏光板１５が形成され、カラーフィルタ基板１４の前面には第
２偏光板１６が形成されている。また、アレイ基板１２の背面側には光を照射するバック
ライト１７が配設されている。
【００３５】
以下において、第２の実施形態の液晶表示パネル２におけるアレイ基板１２の構成につ
いて説明する。第２の実施形態のアレイ基板１２は、第１の実施形態の液晶表示パネル１
におけるアレイ基板１２の場合と同様に、背面側から基板本体１２１側にそれぞれゲート
電極１２２ａを有する走査線１２２、ゲート絶縁膜１２３、そして半導体層１２４ａ、ソ
ース電極１２４ｂ及びドレイン電極１２４ｃで構成されるＴＦＴ１２４を備えている。ソ
ース電極１２４ｂは信号線１２５から分岐しており、信号線１２５は図６のＹ軸方向に延
在し、走査線１２２はＸ軸方向に延在する。
【００３６】
半導体層１２４ａ、ソース電極１２４ｂ、ドレイン電極１２４ｃを覆って、酸化ケイ素
ないし窒化ケイ素等からなる第１層間絶縁膜１２６が形成され、その第１層間絶縁膜１２
６を覆って、樹脂層１２７が形成されている。樹脂層１２７を覆って、下電電極１２８が
形成されている。第１層間絶縁膜１２６及び第２層間絶縁膜１２９を貫通してドレイン電
極１２４ｃに達するコンタクトホールＣＨが形成されており、このコンタクトホールＣＨ
を介して下電極１２８とドレイン電極１２４ｃとが電気的に接続されている。そのため、
第２の実施形態の液晶表示パネル２においては、下電極１２８は画素電極として作動する
。
【００３７】
下電極１２８を覆って低温生成された酸化ケイ素ないし窒化ケイ素等からなる第２層間
絶縁膜１２９が形成されている。第２層間絶縁膜１２９の液晶層側の表面にＩＴＯ、ＩＺ
Ｏ等の透明導電材料からなる上電極１３０が形成されている。この上電極１３０は対向電
極として作動する。また、上電極１３０、第２層間絶縁膜１２９を覆って第１配向膜１３
１が形成されている。上電極１３０は、図６に示すように複数本のスリット状開口１３０
ａによって形成された帯状電極１３０ｂを備えている。上電極１３０と下電極１２８とで
挟持される第２層間絶縁膜１２９が誘電体膜となり、上電極１３０と下電極１２８との間
に蓄電容量が形成される。また、上電極１３０、第２層間絶縁膜１２９を覆ってポリイミ
ドからなる第１配向膜１３１が形成されている。この第１配向膜１３１には所定の方向に
ラビング処理が施されている。
【００３８】
第２の実施形態の液晶表示パネル２におけるカラーフィルタ基板１４は、第１の実施形
態の液晶表示パネル１の場合と同様に、基板本体１４１にＣＦ層１４２、遮光材のＢＭ層
１４３、樹脂層１４４と第２配向膜１４５が形成されている。第２の実施形態の第１配向
膜１３１と第２配向膜１４５には互いに逆方向のラビングが施される。第１の実施形態の
ラビング方向は縦方向であるが、第２の実施形態のラビング方向は、図６に示すように、
サブ画素の長辺方向に対して、所定角度（例えば、２０度）傾斜している。
【００３９】
上電極１３０のスリット状開口１３０ａの延在方向はラビングの方向に対して第１の実
施形態と同様にαだけ傾斜しているので、上電極１３０のスリット状開口１３０ａもラビ
ング方向に合わせて傾いている。図６に示すように、第２の実施形態の液晶表示パネル２
における複数のスリット状開口１３０ａは、中央部分に存在するものが「く」字状に折り
曲げられている。しかしながら、「く」字状に折り曲げられている中央部分のスリット状
開口１３０ａの上部及び下部では、スリット状開口１３０ａの幾何学的配置からして、「
く」字状に折り曲げられた角部を有せず、直線状に形成されている。そして、上方のスリ
ット状開口１３０ａはラビング方向に対して−α（反時計方向にα）傾き、下方のスリッ
ト状開口１３０ａはラビング方向に対して＋α（時計方向にα）傾いている。
【００４０】
このようにラビングの方向を傾斜させることにより、例えば偏光サングラスを使用した
観察者に対する輝度低下を低減したり、携帯機器用の表示部として使用されている液晶表
示パネルの向きの縦横変更に対処したりすることができるようになる。なお、第２の実施
形態の液晶表示パネル２においても、スリット状開口１３０ａを設ける上電極１３０を画
素電極にしたり、対向電極にしたりすることができる。また、第２の実施形態の液晶表示
パネル２における上電極１３０に形成される「く」字状のスリット状開口１３０ａは、サ
ブ画素の縦方向（Ｙ軸方向）に対して所定角度傾けて形成することにより縦長となるよう
にした例を示した。しかしながら、「く」字状のスリット状開口１３０ａは、サブ画素の
横方向（Ｘ軸方向）に対して所定角度傾けて形成することにより横長となるようにしても
よい。
【００４１】
［第３の実施形態］
第３の実施形態の液晶表示パネル３を、図９及び図１０を参照して説明する。この第３
の実施形態の液晶表示パネル３が第１の実施形態の液晶表示パネル１と構成が相違する点
は、第１の実施形態の液晶表示パネル１はスリット状開口の幅を狭くするための屈曲開始
点が「く」字状に折り曲げられた角部に設けられているに対して、第３の実施形態の液晶
表示パネル３は屈曲開始点が「く」字状に折り曲げられた角部から少し離間した近傍に設
けられている点である。また、第３の実施形態の液晶表示パネル３においては、スリット
状開口１３０ａが設けられる上電極１３０は、第２の実施形態の液晶表示パネル２の場合
と同様に、対向電極として作動する。なお、第３の実施形態の液晶表示パネル３において
は、第１の実施形態の液晶表示パネル１と同一の構成部分には同一の参照符号を付与して
、その詳細な説明は省略する。
【００４２】
図９に示すように、第３の実施形態の液晶表示パネル３においては、ラビング方向は第
１の実施形態の液晶表示パネル１の場合と同じく縦（Ｙ軸）方向である。スリット状開口
１３０ａは、「く」字状に折り曲げられた角部が徐々にスリット状開口の幅が小さくなり
つつ共に外角側に屈曲して２段の「く」字状に折り曲げられたスリットになっている。第
３の実施形態の液晶表示パネル３では、スリット状開口１３０ａの両端の延在方向がなす
角θ１よりも、「く」字状に折り曲げられた角部の外角側の辺がなす角θ５が小さく、更
に、θ５よりもこの角部の内角側の辺がなす角θ４が小さくされている。この場合の「く
」字状に折り曲げられた角部の液晶分子の回転状態を図１０に示す。この第３の実施形態
の液晶表示パネル３においては、「く」字状に折り曲げられた角部ではラビングの方向と
電界の方向のなす角が小さくなっている。そのため、液晶分子に対して大きな回転力が与
えられるので、液晶表示パネル３が一時的に押圧されて液晶分子の回転角が変化しても、
元の状態に戻り易くなる。
【００４３】
第３の実施形態の液晶表示パネル３の折り曲げ部の長さ（図１０のＬ３）は第１の実施
形態の液晶表示パネル１の折り曲げ部の長さ（図４ないし図５のＬ１）よりも長く設定さ
れる。このような構成とすると、「く」字状に折り曲げられた角部は他の部分と電界の方
向が異なるために、ＶＴ特性の異なる領域が増加することになるので、視野角による色の
差を低減することができる。
【００４４】
［第４の実施形態］
第４の実施形態の液晶表示パネル４は、延在方向が互いに異なり、幅が同じスリット状
開口を「く」字状に折り曲げると共に、この「く」字状に折り曲げられた角部の内角側の
辺を外角側に屈曲させることにより、この角部の幅が狭くなるようにしている点では第１
の実施形態の液晶表示パネル１の場合と同様である。しかしながら、第４の実施形態の液
晶表示パネル４では、幅が同じスリット状開口が、「く」字状に折り曲げられた角部の近
傍でも更に弱く「く」字状に折り曲げられて２段階の「く」字状の折り曲げ部を有してい
る点で、第１の実施形態の液晶表示パネル１とは構成が相違している。なお、第４の実施
形態の液晶表示パネル４においては、スリット状開口が施される上電極１３０は第２の実
施形態の液晶表示パネル２の場合と同様に対向電極として作動する。また、第４の実施形
態の液晶表示パネル４においては、第１の実施形態の液晶表示パネル１と同一の構成部分
には同一の参照符号を付与して、その詳細な説明は省略する。
【００４５】
第４の実施形態の液晶表示パネル４においては、図１１に示すように、ラビングの方向
は第１の実施形態の液晶表示パネル１の場合と同じく縦（Ｙ軸）方向である。この第４の
実施形態の液晶表示パネル４では、スリット状開口１３０ａの両端の延在方向がなす角θ
１よりも、角部の内角側の辺がなす角θ７が小さく、更に、θ７よりもこの角部の内角側
の辺を外角側に屈曲させた部分のなす角θ６が小さくされている。
【００４６】
この第４の実施形態の液晶表示パネル４では、「く」字状に折り曲げられた角部及びそ
の近傍の弱く「く」字状に折り曲げられた部分ではラビングの方向と電界の方向のなす角
が小さくなっている。このために液晶分子に対して大きな回転力が与えられるようになり
、液晶表示パネル４が一時的に押圧されて液晶分子の回転角が変化しても、元の状態に戻
り易くなる。
【００４７】
第４の実施形態の液晶表示パネル４の折り曲げ部と屈曲部の合計の長さ（図１２のＬ４
）は第１の実施形態の液晶表示パネル１の折り曲げ部の長さ（図４ないし図５のＬ１）よ
りも長くなっている。この第４の実施形態の液晶表示パネル４の「く」字状に折り曲げら
れた角部では、他の部分と電界方向が異なるために、ＶＴ特性の異なる領域が増加するこ
とになり、視野角による色の差を低減することができる。
【００４８】
なお、上述の各実施形態の液晶表示パネルでは、スリット状開口の方向は縦方向向きあ
るいは斜め向きであったが、本発明はこれに限定されるものではなく、スリット状開口を
横向きした場合においても等しく適用することができる。また、上述の各実施形態のスリ
ット状開口の折り曲げ部は１箇所の「く」字形状であったが、折り曲げ部を複数有するジ
グザグのスリット形状にも適用することができる。また、上述の各実施形態の液晶表示パ
ネルでは、「く」字状に折り曲げられた角部から内角側ないし外角側に屈曲させた部分は
直線状であったが、電界の方向が変化すればよいので、曲線状に曲がっていてもよい。
【図面の簡単な説明】
【００４９】
【図１】第１の実施形態に係る液晶表示パネルのスリット状開口を示す１サブ画素分の正面図である。
【図２】図１のII−II線に沿った断面図である。
【図３】図１のIII−III線に沿った断面図である。
【図４】第１の態様における液晶分子の回転状態を示す図である。
【図５】第１の実施形態の変形例の折り曲げ部の拡大図である。
【図６】第２の実施形態に係る液晶表示パネルのスリット状開口を示す１サブ画素分の正面図である。
【図７】図６のVII−VII線に沿った断面図である。
【図８】図６のVIII−VIII線に沿った断面図である。
【図９】第３の実施形態に係る液晶表示パネルのスリット状開口を示す１サブ画素分の正面図である。
【図１０】第３の態様における液晶分子の回転状態を示す図である。
【図１１】第４の実施形態に係る液晶表示パネルのスリット状開口を示す１サブ画素分の正面図である。
【図１２】第４の態様における液晶分子の回転状態を示す図である。
【符号の説明】
【００５０】
１〜４：表示パネル  １１：液晶層  １１１：スペーサ  １２：アレイ基板  １２１：基
板本体（アレイ基板）  １２２：走査線  １２２ａ：ゲート電極  １２３：ゲート絶縁膜
１２４：ＴＦＴ  １２４ａ：半導体層  １２４ｂ：ソース電極  １２４ｃ：ドレイン電
極  １２５：信号線  １２６：第１層間絶縁膜  １２７：樹脂層（アレイ基板）  １２８
：下電極  １２９：第２層間絶縁膜  １３０：上電極  １３０ａ：スリット  １３１：第
１配向膜  １４：カラーフィルタ基板  １４１：基板本体（カラーフィルタ基板）  １４
２：ＣＦ層  １４３：ＢＭ層  １４４：樹脂層（カラーフィルタ基板）  １４５：第２配
向膜  １５：第１偏光板  １６：第２偏光板  １７：バックライト  ＣＨ：コンタクトホ
ール
【図１】
2010002448.tif 000003
【図２】
2010002448.tif 000004
【図３】
2010002448.tif 000005
【図４】
2010002448.tif 000006
【図５】
2010002448.tif 000007
【図６】
2010002448.tif 000008
【図７】
2010002448.tif 000009
【図８】
2010002448.tif 000010
【図９】
2010002448.tif 000011
【図１０】
2010002448.tif 000012
【図１１】
2010002448.tif 000013
【図１２】
2010002448.tif 000014